(57)【要約】【課題】光ピックアップ装置の副軸に係合する軸受機構を提供する。【解決手段】光ピックアップ装置１０において、副軸１８を挟持して摺動する金属製の第二軸受部２２の第一脚部２４ａの常時副軸１８に摺接する部分を、摺接面２６ａが円柱面をなす別部材の樹脂製摺接体２６で構成し、アリホゾ３０を設けて、第一脚部２４ａのアリ溝３２にアリ組み接ぎ結合で楔着し、装置の小形化を阻害することなく機械強度と耐摩耗性を両立させる。【選択図】    図３
2004348794.tif 000002
【特許請求の範囲】
【請求項１】
光ディスク上のデータトラックにレーザビームを収束させてデータを読み取りまたは書き込む光学装置を搬送体に搭載し、前記搬送体を駆動軸と副軸によって前記光ディスクの記録面と平行は平面内を直線移動するように案内して前記光ディスクをラジアル方向に走査する光ピックアップ装置において、前記搬送体は、前記駆動軸に摺動自在に支持される第一軸受部と、前記副軸に摺動自在に支持される第二軸受部とを備え、前記第二軸受部は、前記副軸との摺動部分を樹脂材料により形成した別部材を配設したことを特徴とする光ピックアップ装置。
【請求項２】
前記副軸は金属丸棒を素材とする円柱体で、前記樹脂材料で形成した別部材は、摺動部が半円柱側面によるカマボコ状の構成で、前記第二軸受部の主体に形成した摺動方向と直交する方向の嵌合部に嵌合させたことを特徴とする請求項１に記載の光ピックアップ装置。
【請求項３】
前記第二軸受部の主体は、金属材料で構成したことを特徴とする請求項２に記載の光ピックアップ装置。
【請求項４】
前記別部材を第二軸受部の主体とアリ組み接ぎ結合で嵌合させたことを特徴とする請求項３に記載の光ピックアップ装置。
【請求項５】
前記別部材を第二軸受部の主体と角ホゾ組み接ぎ結合で嵌合させたことを特徴とする請求項３に記載の光ピックアップ装置。
【発明の詳細な説明】
【０００１】
【発明の属する技術分野】
本発明は、ＣＤ（コンパクトディスク）やＤＶＤ（デジタルビデオディスク）などのディスク上に記録された情報データを読み取りまたは書き込む光ピックアップ装置に係わり、より具体的には光学装置の搬送ガイドに関する。
【０００２】
【従来の技術】
一般に、光ピックアップ装置は、公知のとおり、対物レンズ、プリズム、レーザ照射装置、光集積素子等の光学装置を搭載した搬送体を、光ディスクの記録再生面に対して平行な面内で半径方向に直線移動させる主軸に摺動自在に支持して並進移動させ、光ディスクに情報データの読取りまたは書き込みを行う。（これら光学機構の動作は本発明の要旨ではないので詳細な説明は省略する。）
【０００３】
このとき光ディスクの記録面と対物レンズとの距離が常に正確に維持できなければならないから、搬送台は移動に伴う主軸回りの揺動を規制するために、光ディスクと平行な同一平面内で、主軸と平行に設置した副軸に摺動自在に支持される軸受部を、一般に主軸から遠い位置すなわち、対物レンズを挟んで主軸と反対側に備えている。
【０００４】
軸受部は、搬送台本体に固設されて一体に移動するアルミニウム等の軽合金または樹脂成型材料で形成した部材によって構成されたコ字形のブロックで、開端を構成する二つの脚部間で副軸の側面を相対する二方向から挟持して、通常は上下方向の振れを規制する。ここで、上側に位置する脚部は副軸の側面に常時摺接して、下方への振れを規制するが、下側に位置する脚部は副軸の側面と微小な遊隙を保って、円滑かつ低抵抗の移動を図ることにより、装置の低騒音化、耐用寿命を確保する。
【０００５】
【発明が解決しようとする課題】
しかしながら、装置全体を小型軽量化する要求に対応するため、軽金属材料で構成した軸受は、副軸との摺動により摩耗する。また樹脂成型材料で構成した軸受は摩耗に強い素材を選択できるが、小型のために構造体としては強度が不足して衝撃荷重に耐えられず、使用頻度や使用環境によって軸受部が破損してしまう危険性がある。
【０００６】
このため、特開２００１−２５６７３９では、照射装置１１０の移動を案内する副軸２０２に対して、照射装置１１０に一体的に固設した金属製第一係合部材３０１に係合可能な係合爪部３０２ａを設けた樹脂製第二係合部材３０２を副軸２０２に摺動自在に摺接させて支持している。ところが係合爪部３０２ａを含む樹脂製第二係合部材３０２の構成は形状が複雑で大きな空間を必要とするため、近年パソコンのＣＤプレーヤなどのポータブル化に伴う光ピックアップ装置の低価格化はもとより、小形化や薄型化に対する要求には応じられない。
【０００７】
そこで本発明の目的は、上記不具合を克服して、取付のための補助部材を必要とせず小型で場所をとらない構成で耐久性良好な軸受構造の提供である。
【０００８】
【課題を解決するための手段】
上記の目的を達成するために、本発明に係わる光ピックアップ装置は、光ディスク上のデータトラックにレーザビームを収束させてデータを読み取りまたは書き込む光学装置を搬送体に搭載し、前記搬送体を駆動軸と副軸によって前記光ディスクの記録面と平行は平面内を直線移動するように案内して前記光ディスクをラジアル方向に走査する光ピックアップ装置において、前記搬送体は、前記駆動軸に摺動自在に支持される第一軸受部と、前記副軸に摺動自在に支持される第二軸受部とを備え、前記第二軸受部は、前記副軸との摺動部分を樹脂材料により形成した別部材を配設した。
【０００９】
また前記副軸は金属丸棒を素材とする円柱体で、前記樹脂材料で形成した別部材は、摺動部が半円柱側面によるカマボコ状の構成で、前記第二軸受部の主体に形成した摺動方向と直交する方向の嵌合部に嵌合させた。
【００１０】
さらに前記第二軸受部の主体は、金属材料で構成し、前記別部材を第二軸受部の主体とアリ組み接ぎ結合（鳩尾状結合）で嵌合させた。また、前記別部材を第二軸受部の主体と角ホゾ組み接ぎ結合で嵌合させてもよい。
【００１１】
【発明の実施の形態】
以下に、本発明に係わる光ピックアップ装置の実施の形態を図面に基づいて説明する。図１の平面図および図１の２−２線に沿って示した図２の側面図で、光ピックアップ装置１０の概略の外観を示す。図１および図２において、光ピックアップ装置１０は、光ディスク１２にレーザ光を照射する光学装置を搭載した搬送体１４と、光ディスク１２のラジアル方向（トラッキング方向）に移動させる駆動軸１６および搬送体１４の移動を確実に光ディスク１２の記録面に平行な平面に沿って案内する副軸１８を備える。
【００１２】
搬送体１４は、駆動軸１６に沿って摺動自在に支持される第一軸受部２０を備える一方、副軸１８に支持されて摺動自在な第二軸受部２２を一体に固装して、駆動軸１６回りの揺動が規制される。副軸１８は金属丸棒を研削して成形した歪みのない精密な円柱体である。そして第二軸受部２２は、図２から明らかなようにコ字形のブロックで、主体をアルミニウム等の軽合金材料のダイキャストまたは粉末冶金によるモールド製品あるいは適当なブロックから切削により構成される。
【００１３】
第二軸受部２２は、開端を構成する二つの脚部２４ａ，２４ｂ間で副軸１８の側面を両側の相対する二方向から挟持し、搬送体１４に固設されて一体に移動する。ここで、図中上方に位置する第一脚部２４ａは、副軸１８の側面に常時摺接して、搬送体１４の下方（矢印Ｍ）への振れを規制する。一方、図中下方に位置する第二脚部２４ｂは、搬送体１４の上方（矢印Ｎ）への振れを規制するが、副軸１８の側面と微小な遊隙ｇを設けて、円滑かつ低抵抗の移動を図ることにより、装置を低騒音化し、耐用寿命を確保する。図示しないが、第一脚部２４ａを副軸１８に常時摺接させておく適正な接触圧を第一脚部２４ａに作用させるスプリング機構を設けてもよい。
【００１４】
図３は本発明に係わる光ピックアップ装置１０の第一実施例で、図３（ａ）に示す別部材として、エンジニアリングプラスチックから適当な樹脂を選定して形成した摺接体２６を、図３（ｂ）に部分拡大斜視図で示した第二軸受部２２において、副軸１８を挟持する第一脚部２４ａの副軸１８との摺接部分２５に楔着する。
【００１５】
摺接体２６は図３（ａ）に図示したように副軸１８との摺接面２６ａが半円柱面（いわゆるカマボコ型）に形成される。第一脚部２４ａとの係合面２６ｂは平面で、二点鎖線で示すように中央部に少なくとも一つの逃げ溝２６ｃを設けてもよい。さらに、摺接面２６ａのカマボコ型円孤面が係合面２６ｂに臨む両端縁部２７は、係合面２６ｂに垂直な界面２８を設けた後、係合面２６ｂに向かってアリホゾ３０となる斜面を形成する。
【００１６】
一方、摺接体２６が楔着される第二軸受部２２の第一脚部２４ａには、副軸１８に臨む内面に第二軸受部２２のコ字形ブロック開端側２４ｃに開口を有するアリ溝３２が形成される。アリ溝３２は摺接体２６のアリホゾ３０と補完しあう同形で、摺接体２６を開端側２４ｃから第二軸受部２２の第一脚部２４ａに押入し、円柱面２６ａを副軸１８との対向位置に楔着により固定することができる。
【００１７】
この場合、摺接体２６の中央部分に係合面２６ｂから適当な深さの切込みを入れて逃げ溝２６ｃを少なくとも一つ設けておけば、摺接体２６を構成する樹脂自体の弾性で逃げ溝２６ｃを狭める方向に変形が可能になり、摺接体２６の押入を容易に行うことができる。摺接体２６を第一脚部２４ａに楔着して位置決め終了後、逃げ溝２６ｃに適当な厚みの板材（図示省略）を圧入して摺接体２６の弾性変形を防止することにより、摺接体２６は第二軸受部２２の第一脚部２４ａとアリ組み接ぎ結合の密な結合で固着される。摺接体２６の摺接面２６ａが損傷した場合は、逃げ溝２６ｃに圧入した板材を取除けば、摺接体２６は弾性変形が許容されるので、摺接体２６は容易に交換できる。
【００１８】
図４は本発明に係わる光ピックアップ装置１０の第二実施例で、図４（ａ）に示す別部材として、エンジニアリングプラスチックから適当な樹脂を選定して形成した摺接体１２６を、図４（ｂ）に部分拡大斜視図で示した第二軸受部１２２において、副軸１８を挟持する第一脚部１２４ａの副軸１８との摺接部分１２５に圧入する。第一実施例と共通する部材には同一の符号を使用する。
【００１９】
摺接体１２６は図４（ａ）に図示したように概ね凸字形の断面を有する成型品で、台座部１２７と頭部１２８を備え、副軸１８との摺接面１２６ａとなる頭頂部が楕円柱面に形成される。第一脚部１２４ａと係合する台座部１２７は側方に張出して、第一脚部１２４ａに凹設したホゾ穴１２９の内側壁１２９ａに圧着される圧入部１２７ａをさらに延在する。圧入部１２７ａには挿入方向（矢印Ｓ）に向けて縮小する斜面１２７ｂ，１２７ｃで、ホゾ穴１２９への挿入を容易にしている。台座部１２７の底面は摺接面を少なくする構成で両側部分１２７ｄがホゾ穴１２９の底面１２９ｂに接し、中央部分は底面１２９ｂとの接触を避けた逃げ溝１２７ｅとして凹設される。図示しない金型ではこの部分にゲートを設けて摺接面への影響を排除する。
【００２０】
一方、第一脚部１２４ａのホゾ穴１２９は、摺接体１２６の台座部１２７と補完しあう同形で、副軸１８に臨む側に頭部１２８を嵌通する開口１３１を備える。さらにホゾ穴１２９は、副軸１８の摺動方向となる軸線に対して垂直な方向の開端部１２４ｃから摺接体１２６を圧入することができる。ホゾ穴１２９の内側壁１２９ａには開端部１２４ｃより奥に向かって拡幅する台形状の凸面１２９ｃが突設され、挿入初期は摺接体１２６との摩擦が少なく、挿入終了時には大きな摺接面で摩擦結合が確保されるようになっている。
【００２１】
第二実施例には、鋭利なエッジで変形を受け易いアリホゾ３０がないので、成型によるトラブルが減少できる。また、摺接面に平滑さを確保するのがアリ溝３２の構成面より容易となり、金型に対する制約が少なくなるため金型の単純化が可能である。上記実施例の構成による作用は、いずれも、第二軸受部２２，１２２を金属材料で構成して強度を確保すると共に、副軸１８との摺接部分２５，１２５を別部材として樹脂で構成して耐摩耗性を保証するものである。
【００２２】
以上、実施例について説明したが、本発明は図示の実施例に限定されるものではなく、その形状や構成について、本発明の構成要件から逸脱しない範囲で、細部に関する多様な変更や部品構成等に改変をなし得ることが予期される。
【００２３】
【発明の効果】
以上の説明で明らかなように、本発明に係わる光ピックアップ装置は、請求項１の記載によれば、搬送体の第二軸受部は副軸との摺動部分を樹脂材料で形成した別部材としたので、樹脂材料の摺動部は軽量で、低摩擦係数になるため摺動性に優れ、摩耗や削れが生じ難く、騒音の低減と耐用寿命の向上を図ることができる。
【００２４】
さらに、本発明に係わる光ピックアップ装置は、請求項２の記載によれば、前記副軸は金属丸棒を素材とする円柱体で、前記樹脂材料で形成した別部材は、摺動部が半円柱側面によるカマボコ状の構成で、前記第二軸受部の主体に形成した摺動方向と直交する方向の嵌合部に嵌合させたので、摺動部材が摺動動作等の外部負荷によって脱落するのを防止することができる。また副軸と摺動部の接触部が、円筒面同士が直交して接する微小スポットとなり、摩擦抵抗がさらに軽減できる。
【００２５】
しかも本発明に係わる光ピックアップ装置は、請求項３の記載によれば、第二軸受部の主体を金属材料で構成したので、軸受部に機械強度が保証され耐摩耗性との両立が可能となる。
【００２６】
その上本発明に係わる光ピックアップ装置は、請求項４の記載によれば、樹脂材料の別部材を第二軸受部の主体とアリ組み接ぎ結合で嵌合させたので、この別部材の取付に際し、取付のための固定用ネジなどの補助部材や取付座または複雑な形状の補助機構を必要とせず小型で場所をとらない構成で、省スペースとなり装置の小形化ができる。
【００２７】
一方、本発明に係わる光ピックアップ装置は、請求項５の記載によれば、樹脂材料の別部材を第二軸受部の主体と角ホゾ組み接ぎ結合で嵌合させたので、別部材の形状が簡単なため注型が容易となり小型化しても十分な強度が保証でき、多数個取りの金型製作に有利で、製造コストが低減できる。
【図面の簡単な説明】
【図１】本発明に係わる光ピックアップ装置の一実施例の外観を示す概略の平面図である。
【図２】図１の２−２線に沿った側面図である。
【図３】（ａ）は、本発明に係わる光ピックアップ装置の第一実施例における摺接体の拡大斜視図である。（ｂ）は本発明に係わる光ピックアップ装置における第二軸受部の部分拡大斜視図である。
【図４】（ａ）は、本発明に係わる光ピックアップ装置の第二実施例における摺接体の拡大斜視図である。（ｂ）は本発明に係わる光ピックアップ装置における第二軸受部の部分拡大斜視図である。
【符号の説明】
１０  光ピックアップ装置
１２  光ディスク
１４  搬送体
１６  駆動軸
１８  副軸
２２  第二軸受部
２４ａ  第一脚部
２４ｂ  第二脚部
２６  摺接体
２６ａ  摺接面
２６ｂ  係合面
２６ｃ  逃げ溝
３０  アリホゾ
３２  アリ溝
【図１】
2004348794.tif 000003
【図２】
2004348794.tif 000004
【図３】
2004348794.tif 000005
【図４】
2004348794.tif 000006